(57)【要約】【課題】光受信機への電力供給の形態を、容易かつコストを増加させることなく変更することができる、光受信機用の電源装置を提供すること。【解決手段】光受信機の筐体の内部に着脱自在に収容される電源装置３０であって、商用電源のプラグソケットに対して直接的に接続可能なプラグ３２と、プラグ３２を介して商用電源から供給された電力を光受信機の光電変換部に供給する給電端子３３と、光受信機の出力端子２２に信号ケーブルを介して接続される入力端子３４であって、出力端子２２から出力されたテレビ信号が入力されると共に、プラグ３２を介して商用電源から供給された電力を当該信号ケーブルを介して光受信機に供給する入力端子３４と、テレビ受像機に信号ケーブルを介して接続される出力端子３５であって、入力端子３４に入力されたテレビ信号をテレビ受像機に出力する出力端子３５とを備えた。【選択図】図３
2012004968.tif 000002
【特許請求の範囲】
【請求項１】
光通信網に接続される光受信機に電力を供給するためのもので、当該光受信機の筐体の内部に着脱自在に収容される電源装置であって、
商用電源のプラグソケットに対して直接的に接続可能なプラグと、
前記プラグを介して商用電源から供給された電力を、前記光受信機の筐体の内部に配置された光電変換部に供給する給電端子と、
前記光受信機において前記筐体の外部に露出するように設けられたテレビ信号出力端子に信号ケーブルを介して接続される入力端子であって、前記テレビ信号出力端子から出力されたテレビ信号が入力されると共に、前記プラグを介して商用電源から供給された電力を当該信号ケーブルを介して前記光受信機に供給する入力端子と、
テレビ受像機に信号ケーブルを介して接続される出力端子であって、前記入力端子に入力されたテレビ信号を当該信号ケーブルを介して前記テレビ受像機に出力する出力端子と、
を備えた光受信機用の電源装置。
【請求項２】
前記プラグを、回動可能とした、
請求項１に記載の光受信機用の電源装置。
【請求項３】
筺体を備え、
前記筺体の同一の側面に、前記給電端子、前記入力端子、及び前記出力端子を配置し、
前記プラグを、前記入力端子及び前記出力端子の突出方向である第１の方向に回動可能とした、
請求項２に記載の光受信機用の電源装置。
【請求項４】
前記プラグを、前記第１方向とは異なる方向であって、当該プラグ端子のみを前記筺体の同一の側面よりも外側に突出させる第２方向に回動可能とした、
請求項３に記載の光受信機用の電源装置。
【請求項５】
商用電源から供給された交流電力を直流電力に変換するための変換部を備え、
前記変換部にて変換された直流電力を、前記給電端子又は前記入力端子を介して前記光電変換部に供給可能である、
請求項１から４のいずれか一項に記載の光受信機用の電源装置。
【発明の詳細な説明】
【技術分野】
【０００１】
本発明は、光通信網に接続される光受信機に電力を供給するための電源装置に関する。
【背景技術】
【０００２】
現在、光ファイバを使った家庭向けのデータ通信サービスであるＦＴＴＨ（Ｆｉｂｅｒ  Ｔｏ  Ｔｈｅ  Ｈｏｍｅ）が一般家庭に普及しつつある。このＦＴＴＨにおいては、屋外に敷設された光ファイバが、一般家屋等の屋外の壁面等に設置された光受信機（放送用光加入者端末装置：Ｖ−ＯＮＵ：Ｖｉｓｕａｌ−Ｏｐｔｉｃａｌ  Ｎｅｔｗｏｒｋ  Ｕｎｉｔ）に引き込まれる。そして、光ファイバを介して伝送された光信号が、光受信機により光電変換されて電気信号となり、この電気信号が同軸ケーブルを介して家庭内のパソコンやＴＶ等の各機器に伝送される。
【０００３】
この光受信機には、電源部が設けられており、この電源部によって、商用電源から取得された交流電力が直流電力に変換されて、光受信機の各部に供給される（例えば、特許文献１参照）。この電源部は、従来、光受信機の筺体の内部に固定されており、この電源部から筺体の外部に引き出された電源ケーブルを介して、屋外に設けた商用電源のプラグソケットに接続され、交流電力を取得していた。この電源部の内部にはＡＣ／ＤＣ変換部が設けられており、電源ケーブルを介して供給された交流電力がＡＣ／ＤＣ変換部によって直流電力に変換されていた。また、電源部は、筺体の内部において光受信機の各部に電源ケーブルにて接続されており、この電源ケーブルを介して、直流電力が光受信機の各部に供給されていた。
【先行技術文献】
【特許文献】
【０００４】
【特許文献１】特開平１０−３２２４６０号公報
【発明の概要】
【発明が解決しようとする課題】
【０００５】
このように光受信機の内部に電源部を固定的に設けた場合には、商用電源のプラグソケットが屋外に設けられていれば、この上述のように、このプラグソケットに電源ケーブルを接続することで、光受信機に対する電力供給を行うことが可能となる。
【０００６】
しかしながら、商用電源のプラグソケットが屋外に設けられていない場合には、屋内のプラグソケットを使用する必要が生じる。このような場合には、電源ケーブルに延長ケーブルを接続し、この延長ケーブルを屋内の商用電源のプラグソケットに接続して電力を取得する必要があった。しかしながら、このように延長ケーブルを接続するためには、この延長ケーブルと信号伝送用の同軸ケーブルとの複数本のケーブルを屋外から屋内に引き込む必要があり、ケーブルの敷設作業に手間を要するという問題があった。
【０００７】
あるいは、光受信機への電力供給は、パワーインサータを介して同軸ケーブルに電力を重畳することにより、行うことも考えられる。すなわち、屋内の商用電源のプラグソケットにパワーインサータを接続し、このパワーインサータを、信号伝送用の同軸ケーブルに接続することで、同軸ケーブルを介して電力を光受信機に供給することができる。しかしながら、この場合には、光受信機に固定した電源部とは別にパワーインサータが必要になるため、光受信機の設置コストが増大するという問題が生じる。
【０００８】
本発明は、上記に鑑みてなされたものであって、光受信機への電力供給の形態を、容易かつコストを増加させることなく変更することができる、光受信機用の電源装置を提供することを目的とする。
【課題を解決するための手段】
【０００９】
上述した課題を解決し、目的を達成するために、請求項１に記載の光受信機用の電源装置は、光通信網に接続される光受信機に電力を供給するためのもので、当該光受信機の筐体の内部に着脱自在に収容される電源装置であって、商用電源のプラグソケットに対して直接的に接続可能なプラグと、前記プラグを介して商用電源から供給された電力を、前記光受信機の筐体の内部に配置された光電変換部に供給する給電端子と、前記光受信機において前記筐体の外部に露出するように設けられたテレビ信号出力端子に信号ケーブルを介して接続される入力端子であって、前記テレビ信号出力端子から出力されたテレビ信号が入力されると共に、前記プラグを介して商用電源から供給された電力を当該信号ケーブルを介して前記光受信機に供給する入力端子と、テレビ受像機に信号ケーブルを介して接続される出力端子であって、前記入力端子に入力されたテレビ信号を当該信号ケーブルを介して前記テレビ受像機に出力する出力端子とを備えた。
【００１０】
請求項２に記載の光受信機用の電源装置は、請求項１に記載の光受信機用の電源装置において、前記プラグを、回動可能とした。
【００１１】
請求項３に記載の光受信機用の電源装置は、請求項２に記載の光受信機用の電源装置において、筺体を備え、前記筺体の同一の側面に、前記給電端子、前記入力端子、及び前記出力端子を配置し、前記プラグを、前記入力端子及び前記出力端子の突出方向である第１の方向に回動可能とした。
【００１２】
請求項４に記載の光受信機用の電源装置は、請求項３に記載の光受信機用の電源装置において、前記プラグを、前記第１方向とは異なる方向であって、当該プラグ端子のみを前記筺体の同一の側面よりも外側に突出させる第２方向に回動可能とした。
【００１３】
請求項５に記載の光受信機用の電源装置は、請求項１から４のいずれか一項に記載の光受信機用の電源装置において、商用電源から供給された交流電力を直流電力に変換するための変換部を備え、前記変換部にて変換された直流電力を、前記給電端子又は前記入力端子を介して前記光電変換部に供給可能である。
【発明の効果】
【００１４】
請求項１に記載の光受信機用の電源装置によれば、プラグと、このプラグを介して商用電源から供給された電力を、光受信機の筐体の内部に配置された光電変換部に供給する給電端子を備えるので、商用電源のプラグソケットが屋外にある場合には、この屋外のプラグソケットから供給された電力を電源装置を介して光電変換部に供給することができる。一方、商用電源のプラグソケットに対して直接的に接続可能なプラグと、商用電源から供給された電力を当該信号ケーブルを介して光受信機に供給する入力端子と、入力端子に入力されたテレビ信号を当該信号ケーブルを介してテレビ受像機に出力する出力端子とを備えるので、商用電源のプラグソケットが屋外にない場合には、屋内のプラグソケットから供給された電力を電源装置の入力端子を介して光電変換部に供給することができ、電源装置をパワーインサータとして使用することができる。従って、１台の電源装置を、光受信機の内部に収容される電源装置と、光受信機の外部に配置されるパワーインサータの２通りで使用することができ、商用電源の位置に応じて光受信機への電力供給の形態を、容易かつコストを増加させることなく変更することができるので、電源装置の利便性を高めることができる。
【００１５】
請求項２に記載の光受信機用の電源装置によれば、プラグを、回動可能としたので、光受信機への電力供給の形態を変更することに伴って、電源装置の使用環境が変わる場合に、この使用環境に応じた向きにプラグを回動させて使用することができるので、電源装置の取り付け位置の自由度を高めることができると共に、電源装置の取り付けが一層容易になる。
【００１６】
請求項３に記載の光受信機用の電源装置によれば、筺体の同一の側面に、給電端子、入力端子、及び出力端子を配置し、プラグを、入力端子及び出力端子の突出方向である第１の方向に回動可能としたので、給電端子、入力端子、及び出力端子の配置領域と、プラグの配置領域を近接させることができ、スペースの利用効率を高めることができる。また、給電端子に対する電源ケーブルの着脱方向と、プラグに対する電源ケーブルの着脱方向とを、同一方向に揃えることができ、これら電源ケーブルの着脱操作が容易になる。
【００１７】
請求項４に記載の光受信機用の電源装置によれば、プラグを、第１方向とは異なる方向であって、当該プラグ端子のみを筺体の同一の側面よりも外側に突出させる第２方向に回動可能としたので、入力端子や出力端子が突出していない方向にプラグ端子のみを突出させることができ、入力端子や出力端子が障害になることがなく、このプラグを商用電源のプラグソケットに対して直接的に接続することができる。
【００１８】
請求項５に記載の光受信機用の電源装置によれば、商用電源から供給された交流電力を直流電力に変換するための変換部を備え、変換部にて変換された直流電力を、給電端子又は入力端子を介して光電変換部に供給可能であるので、商用電源のプラグソケットが屋外にある場合には、この屋外のプラグソケットから供給された電力を直流電力に変換して給電端子を介して光電変換部に供給可能することができ、商用電源のプラグソケットが屋外にない場合には、屋内のプラグソケットから供給された電力を直流電力に変換して入力端子を介して光電変換部に供給可能することができる。
【図面の簡単な説明】
【００１９】
【図１】本発明の実施の形態１に係る光受信機を示す図であり、（ａ）は正面図、（ｂ）は底面図、（ｃ）は側面図である。
【図２】カバー部を取り外した状態における光受信機の正面図である。
【図３】電源装置の斜視図である。
【図４】電源装置を示す図であり、（ａ）は正面図、（ｂ）は平面図、（ｃ）は側面図である。
【図５】電源装置を光受信機の筐体の外部に取り出して使用する状態を示した斜視図である。
【図６】実施の形態２に係る電源装置を備えた光受信端子を示す図であって、カバー部を取り外した状態における光受信機の正面図である。
【図７】電源装置の斜視図である。
【図８】電源装置を示す図であり、（ａ）は正面図、（ｂ）は平面図、（ｃ）は側面図である。
【図９】電源装置を光受信機の筐体の外部に取り出して使用する状態を示した斜視図である。
【発明を実施するための形態】
【００２０】
以下に添付図面を参照して、この発明に係る電源装置の各実施の形態を詳細に説明する。ただし、これら各実施の形態によって本発明が限定されるものではない。
【００２１】
〔実施の形態１〕
まず、実施の形態１の具体的内容について詳細に説明する。この形態は、電源装置のプラグを、入力端子及び前記出力端子の突出方向である第１の方向と、この第１方向と１８０度反対側の第２方向とに、回動可能とした形態である。
【００２２】
（構成−光受信機）
図１は、本実施の形態に係る光受信機を示す図であり、（ａ）は正面図、（ｂ）は底面図、（ｃ）は側面図、図２は、カバー部を取り外した状態における光受信機の正面図である。なお、以下の説明においては、図１のＸ方向を左右方向、図１のＹ方向を上下方向、図１のＺ方向を前後方向とする。
【００２３】
光受信機１は、一般家屋等の屋外の壁面等に設置されて光通信網に接続される放送用光加入者端末装置である。この光受信機１は、図２に示すように、筐体１０の内部に、光電変換部２０、光ファイバトレー（図示省略）、及び電源装置３０を収容して構成されている。
【００２４】
筐体１０は、光受信機１の構造体であり、光電変換部２０、光ファイバトレー、及び電源装置３０を外部から保護する保護手段である。この筐体１０は、一側面を開放した略箱形状のベース部１１と、このベース部１１をその開放面側から略覆うカバー部１２とを備えて構成されており、カバー部１２はその上端部近傍位置においてベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ファイバ（図示省略）を筐体１０の内部に引込むことができ、あるいは、筐体１０の内部から外部に光ファイバを引き出すことができる。また、引き込み口１３の側方には、一対の端子孔１４が形成されており、この端子孔１４を介して、光電変換部２０の出力端子（テレビ信号出力端子、同軸コネクタ）２２が筐体１０の外部に露出され、この出力端子２２に信号ケーブル（以下、同軸ケーブル）（図示省略）を接続することができる。
【００２５】
光電変換部２０は、光信号を光電変換して電気信号として出力する光電変換手段である。この光電変換部２０には、光ファイバを接続するための入力端子（光信号入力端子、光コネクタ）２１と、同軸ケーブルを接続するための出力端子２２が設けられており、屋外から光受信機１に引き込まれた光ファイバが入力端子２１に接続されると共に、光受信機１から屋内に引き込まれる同軸ケーブルが出力端子２２に接続され、光ファイバから出力された光信号を光電変換して電気信号として同軸ケーブルに出力する。
【００２６】
光ファイバトレーは、屋外から光受信機１に引き込まれた光ファイバを収容するための収容手段である。この光ファイバトレーは、筐体１０の内部における光電変換部２０の前方側に固定されるもので、光ファイバを巻き付ける巻き付け部を有し、この巻き付け部に光ファイバの余長部分を巻き付けることができる。また、光ファイバトレーには、必要に応じて、メカニカルスプライスやＷＤＭ（波長分割多重：Ｗａｖｅｌｅｎｇｔｈ  Ｄｉｖｉｓｉｏｎ  Ｍｕｌｔｉｐｌｅｘｉｎｇ）フィルタ（いずれも図示省略）が固定され、例えば、多重化された映像信号及び通信信号を伝送するための光ファイバが屋外から光受信機１に引き込まれた場合に、この光ファイバがメカニカルスプライスを介して他の光ファイバに接続され、当該他の光ファイバがＷＤＭフィルタに接続されることで映像信号及び通信信号が分離される。このＷＤＭフィルタからは、映像信号を伝送するための光ファイバと、通信信号を伝送するための光ファイバとが引き出され、映像信号を伝送するための光ファイバが光電変換部２０に接続されることで、映像信号が電気信号として同軸ケーブルを介して屋内のＴＶ受像機に出力され、通信信号を伝送するための光ファイバはそのまま屋内に引き込まれて情報機器に出力される。
【００２７】
（構成−電源装置）
次に、電源装置３０について説明する。図３は、電源装置３０の斜視図、図４は、電源装置３０を示す図であり、（ａ）は正面図、（ｂ）は平面図、（ｃ）は側面図、図５は、電源装置を光受信機の筐体の外部に取り出して使用する状態を示した斜視図である。この電源装置３０は、光受信機１に対する電力供給を行う電源供給ユニットである。この電源装置３０は、図２に示すように、光受信機１の筐体１０の内部における光電変換部２０の上方に形成された空間部に着脱自在に収容されており、図３、４に示すように、筺体３１、プラグ（コンセント）３２、ＡＣ／ＤＣ変換部（図示せず）、給電端子３３、入力端子３４、及び出力端子３５を備えて構成されている。
【００２８】
筺体３１は、全体として直方形状に形成されており、光受信機１に対して着脱自在とされている。この着脱のための具体的な構造は任意であり、係止構造や嵌合構造を採用することもできるが、ここでは、筺体３１に形成されたネジ止め孔３１ａを介してネジをベース部１１に螺合させることにより、電源装置３０が光受信機１の筐体１０に固定されており、逆に、このネジを取り外すことによって、電源装置３０を筐体１０の外部に取り出すことができる。
【００２９】
プラグ３２は、商用電源のプラグソケットに対して直接的に接続可能なものであり、単相交流１００ボルト用のものとして接地側の端子と非接地側の端子との２本のプラグ端子３２ａを備える。これら２本のプラグ端子３２ａは、前後方向に沿って並設されている。このプラグ３２は、筺体３１の長手方向の端部に回動可能に設けられている。具体的には、筺体３１の長手方向の端部には、当該筺体３１の側面に沿った位置に、２本の支持アーム３１ｂが突設されており、この支持アーム３１ｂの相互間には、回転軸（図示せず）が前後方向に沿って配置されている。そして、プラグ３２は、２本の支持アーム３１ｂの相互間において回転軸に支持されるように配置されており、前後方向に沿って並設された２本のプラグ端子３２ａが、回転軸を中心に回動可能となっている。このプラグ３２の回動方向については後述する。
【００３０】
ＡＣ／ＤＣ変換部は、商用電源から供給された交流電力を直流電力に変換するための変換部である。このＡＣ／ＤＣ変換部は、筐体３１の内部に収容されており、プラグ３２を介して商用電源から取得された交流電力を直流電力に変換して給電端子３３に供給する。このＡＣ／ＤＣ変換部の具体的な構成としては、公知のＡＣ／ＤＣ変換部と同様の構成を採用することができる。
【００３１】
給電端子３３は、プラグ３２を介して商用電源から供給された電力を、光受信機１の筐体１０の内部に配置された光電変換部２０に供給するものであり、プラス側端子及びマイナス側端子（図示省略）を備える。この給電端子３３の具体的な構成としては、公知の給電端子と同様の構成を採用することができる。この給電端子３３と、光電変換部２０に設けた図示しない電源端子とを、図示しない電源ケーブルを接続することで、給電端子３３から電源端子に電力を供給することができる。
【００３２】
入力端子３４は、光受信機１の出力端子２２に同軸ケーブルを介して接続されるテレビ信号入力端子（同軸コネクタ）であって、出力端子２２から出力されたテレビ信号が入力されると共に、プラグ３２を介して商用電源から供給された電力を当該同軸ケーブルを介して光受信機１に供給する電力供給端子である。この入力端子３４は、公知の同軸コネクタと同様に構成することができ、例えば、同軸ケーブルの先端に取付けられたＦ雄型の同軸コネクタを接続するためのＦ型雌コネクタとして構成される。
【００３３】
出力端子３５は、テレビ受像機（図示せず）に同軸ケーブルを介して接続されるテレビ信号出力端子（同軸コネクタ）であって、入力端子３４に入力されたテレビ信号を当該同軸ケーブルを介してテレビ受像機に出力する出力端子である。この出力端子３５は、入力端子３４と同様に、公知の同軸コネクタと同様に構成することができ、例えば、同軸ケーブルの先端に取付けられたＦ雄型の同軸コネクタを接続するためのＦ型雌コネクタとして構成される。
【００３４】
（プラグの回動方向）
次に、プラグ３２の回動方向について、詳細に説明する。プラグ３２は、第１方向と第２方向に回動可能となるように構成されている。図３に示すように、第１方向とは、入力端子３４及び出力端子３５の突出方向と同一方向である。すなわち、筺体３１の長手方向に沿った側面のうち、狭幅側の一つの側面３１ｃには、給電端子３３、入力端子３４、及び出力端子３５が並設状に配置されている。そして、図２から図４に示すように、プラグ３２は、この側面３１ｃに直交する方向であって、入力端子３４及び出力端子３５の突出方向と同一方向である第１方向に突出するように回動される。
【００３５】
また、第２方向とは、第１方向に対して約１８０度反対側の方向であって、プラグ端子３２ａのみを筺体３１の同一の側面よりも外側に突出させる方向である。すなわち、筺体３１の長手方向に沿った側面のうち、側面と反対側の側面３１ｄは、何ら端子が設けられていない平滑面として構成されており、この側面３１ｄとほぼ面一状となるようにプラグ３２のプラグ端子３２ａのベース面が配置されている。従って、プラグ３２を第２方向に回動させた状態においては、プラグ端子３２ａのみが、そのほぼ全域を当該側面３１ｄから外側に突出させることとなる。
【００３６】
（電源装置の使用形態）
次に、電源装置３０の使用形態について、詳細に説明する。商用電源のプラグソケットが屋外にある場合には、図２に示すように、電源装置３０を光受信機１の筐体１０の内部に収容し、光受信機１と一体に使用する。具体的には、この収容状態において、給電端子３３に電源ケーブルを接続し、この電源ケーブルを光電変換部２０の電源端子に接続する。また、電源装置３０のプラグ３２を第１方向に回動し、このプラグ３２に電源ケーブル１００を接続し、この電源ケーブル１００を屋外のプラグソケットに接続する。このことにより、屋外のプラグソケットから供給された交流電力を、プラグ３２を介して電源装置３０に供給し、この電源装置３０で直流電力に変換した後、さらに電源端子を介して光電変換部２０に供給することができる。特に、この状態においては、給電端子３３、入力端子３４、及び出力端子３５の配置領域と、プラグ３２の配置領域を近接させることができ、スペースの利用効率を高めることができる。また、給電端子３３に対する電源ケーブルの着脱方向と、プラグ３２に対する電源ケーブル１００の着脱方向とを、同一方向に揃えることができ、これら電源ケーブルの着脱操作が容易になる。
【００３７】
一方、商用電源のプラグソケットが屋外にない場合には、図５に示すように、電源装置３０を光受信機１の筐体１０の外部に取り出し、電源装置３０のプラグ３２を第２方向に回動し、このプラグ３２を屋内のプラグソケット１０１に直接的に接続する。また、入力端子３４には同軸ケーブル１０２を接続し、この同軸ケーブル１０２を光受信機１の接続端子に接続する。また、出力端子３５には同軸ケーブル１０３を接続し、この同軸ケーブル１０３をテレビ受像機に接続する。このことにより、屋内のプラグソケット１０１から供給された交流電力を、プラグ３２を介して電源装置３０に供給し、この電源装置３０で直流電力に変換した後、さらに同軸ケーブル１０２を介して光電変換部２０に供給することができる。つまり、この場合には、電源装置３０をパワーインサータとして使用することができる。また、光電変換部２０にて電気信号に変換されたテレビ信号が、同軸ケーブル１０２を介して入力端子３４に入力され、出力端子３５から同軸ケーブル１０３を介してテレビ受像機に出力される。特に、この状態においては、入力端子３４や出力端子３５が突出していない方向にプラグ端子３２ａのみを突出させることができ、入力端子３４や出力端子３５がプラグ接続に対する障害になることがないので、このプラグ３２を商用電源のプラグソケット１０１に対して直接的に接続することができる。
【００３８】
（実施の形態１の効果）
このように本実施の形態によれば、プラグ３２と、このプラグ３２を介して商用電源から供給された電力を、光受信機１の筐体１０の内部に配置された光電変換部２０に供給する給電端子３３を備えるので、商用電源のプラグソケットが屋外にある場合には、この屋外のプラグソケットから供給された電力を電源装置３０を介して光電変換部２０に供給することができる。一方、商用電源のプラグソケットに対して直接的に接続可能なプラグ３２と、商用電源から供給された電力を当該同軸ケーブルを介して光受信機１に供給する入力端子３４と、入力端子３４に入力されたテレビ信号を当該同軸ケーブルを介してテレビ受像機に出力する出力端子３５とを備えるので、商用電源のプラグソケットが屋外にない場合には、屋内のプラグソケット１０１から供給された電力を電源装置３０の入力端子３４を介して光電変換部２０に供給することができ、電源装置３０をパワーインサータとして使用することができる。従って、１台の電源装置３０を、光受信機１の内部に収容される電源装置３０と、光受信機１の外部に配置されるパワーインサータの２通りで使用することができ、商用電源の位置に応じて光受信機１への電力供給の形態を、容易かつコストを増加させることなく変更することができるので、電源装置３０の利便性を高めることができる。
【００３９】
また、プラグ３２を、回動可能としたので、光受信機１への電力供給の形態を変更することに伴って、電源装置３０の使用環境が変わる場合に、この使用環境に応じた向きにプラグ３２を回動させて使用することができるので、電源装置３０の取り付け位置の自由度を高めることができると共に、電源装置３０の取り付けが一層容易になる。
【００４０】
また、筺体３１の同一の側面３１ｃに、給電端子３３、入力端子３４、及び出力端子３５を配置し、プラグ３２を、入力端子３４及び出力端子３５の突出方向である第１の方向に回動可能としたので、給電端子３３、入力端子３４、及び出力端子３５の配置領域と、プラグ３２の配置領域を近接させることができ、スペースの利用効率を高めることができる。また、給電端子３３に対する電源ケーブルの着脱方向と、プラグ３２に対する電源ケーブルの着脱方向とを、同一方向に揃えることができ、これら電源ケーブルの着脱操作が容易になる。
【００４１】
また、プラグ３２を、第１方向とは異なる方向であって、プラグ端子３２ａのみを筺体３１の側面３１ｄよりも外側に突出させる第２方向に回動可能としたので、入力端子３４や出力端子３５が突出していない方向にプラグ端子３２ａのみを突出させることができ、入力端子３４や出力端子３５が障害になることがなく、このプラグ３２を商用電源のプラグソケットに対して直接的に接続することができる。
【００４２】
また、商用電源から供給された交流電力を直流電力に変換するためのＡＣ／ＤＣ変換部を備え、このＡＣ／ＤＣ変換部にて変換された直流電力を、給電端子３３又は入力端子３４を介して光電変換部２０に供給可能であるので、商用電源のプラグソケットが屋外にある場合には、この屋外のプラグソケットから供給された電力を直流電力に変換して給電端子３３を介して光電変換部２０に供給可能することができ、商用電源のプラグソケットが屋外にない場合には、屋内のプラグソケット１０１から供給された電力を直流電力に変換して入力端子３４を介して光電変換部２０に供給可能することができる。
【００４３】
〔実施の形態２〕
次に、本発明に係る実施の形態２の具体的内容について詳細に説明する。この形態は、電源装置のプラグを、入力端子及び前記出力端子の突出方向である第１の方向と、この第１方向と９０度異なる第３方向とに、回動可能とした形態である。ただし、実施の形態２の構成のうち、特に説明なき構成は実施の形態１と同様であるものとし、実施の形態１と同様の構成要素には、必要に応じて、実施の形態１で使用したものと同一の符号を付してその説明を省略する。
【００４４】
図６は、実施の形態２に係る電源装置を備えた光受信端子を示す図であって、カバー部を取り外した状態における光受信機の正面図、図７は、電源装置の斜視図、図８は、電源装置を示す図であり、（ａ）は正面図、（ｂ）は平面図、（ｃ）は側面図、図９は、電源装置を光受信機の筐体の外部に取り出して使用する状態を示した斜視図である。
【００４５】
これら各図に示すように、光受信機２は、筐体１０に電源装置４０を着脱自在に収容して構成されている。この電源装置４０は、筺体４１、プラグ（コンセント）４２、ＡＣ／ＤＣ変換部（図示せず）、給電端子４３、入力端子４４、及び出力端子４５を備えて構成されている。
【００４６】
筺体４１は、実施の形態１の筺体３１とほぼ同様に構成されているが、その長手方向の端部には、側方に突出する支持アーム４１ａが設けられており、この支持アーム４１ａには、回転軸（図示せず）が前後方向に沿って配置されている。一方、プラグ４２は、左右方向に沿って並設された２本のプラグ端子４２ａを備えて構成されており、回転軸を中心に回動可能となっている。
【００４７】
（プラグの回動方向）
次に、プラグ４２の回動方向について、詳細に説明する。このプラグ４２は、図６から図８に示す第１方向と、図９に示す第３方向とに、回動可能なように構成されている。第１方向とは、実施の形態１における第１方向と同じ方向であって、入力端子３４及び出力端子３５の突出方向と同じ方向である。第３方向とは、第１の方向に対して約９０度直交する方向であって、プラグ端子４２ａのみを筺体４１の側面よりも外側に突出させる方向である。すなわち、筺体４１の長手方向に沿った側面のうち、広幅側の側面４１ｂは、何ら端子が設けられていない平滑面として構成されており、この側面４１ｂとほぼ面一状となるようにプラグ端子４２ａのベース面が配置されている。従って、プラグ４２を第３方向に回動させた状態においては、プラグ端子４２ａのみが、そのほぼ全域を当該側面４１ｂから外側に突出させることとなる。
【００４８】
（電源装置の使用形態）
次に、電源装置４０の使用形態について、詳細に説明する。図６に示すように、電源装置４０を光受信機２の筐体１０の内部に収容して使用する場合においては、プラグ４２は、この側面に直交する方向であって、入力端子３４及び出力端子３５の突出方向と同一方向に突出するように回動される。従って、この状態においては、給電端子３３に対する電源ケーブルの着脱方向と、プラグ４２に対する電源ケーブル１００の着脱方向とを、同一方向に揃えることができ、これら電源ケーブルの着脱操作が容易になると共に、これら電源ケーブルの着脱操作スペースや入力端子３４及び出力端子３５の突出領域を同一領域に集中させることでスペースの利用効率を高めることができる。
【００４９】
また、図９に示すように、電源装置４０を光受信機２の筐体１０の外部に取り出して使用する場合において、プラグ４２は、光受信機２の筐体１０の側面に直交する方向であって、入力端子３４及び出力端子３５の突出方向と９０度異なる方向に回動される。従って、この状態においては、入力端子３４や出力端子３５が突出していない方向にプラグ端子４２ａのみを突出させることができ、入力端子３４や出力端子３５がプラグ接続に対する障害になることがないので、このプラグ４２を商用電源のプラグソケット１０１に対して直接的に接続することができる。
【００５０】
（実施の形態２の効果）
このように本実施の形態によれば、実施の形態１とは異なる向きでプラグ４２を設けると共に、実施の形態１とは異なる方向及び角度でプラグ４２を回動可能とした場合であっても、実施の形態１と同様の効果を得ることができる。
【００５１】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５３】
（プラグの回動方向について）
プラグ３２、４２の回動方向は、上記各実施の形態に示した方向以外としてもよく、例えば、実施の形態２において、上述の第１方向と、Ｘ方向に沿って突出する方向（図８（ａ）における図示右側方向）である第４方向とに回動するようにしてもよい。
【符号の説明】
【００５４】
１、２  光受信機
１０、３１、４１  筐体
１１  ベース部
１２  カバー部
１３  引き込み口
１４  端子孔
２０  光電変換部
２１、３４  入力端子
２２、３５  出力端子
３０、４０  電源装置
３１ａ  ネジ止め孔
３１ｂ、４１ａ  支持アーム
３１ｃ、３１ｄ、４１ｂ  側面
３２、４２  プラグ
３２ａ、４２ａ  プラグ端子
３３  給電端子
１００  電源ケーブル
１０１  プラグソケット
１０２、１０３  同軸ケーブル
【図１】
2012004968.tif 000003
【図２】
2012004968.tif 000004
【図３】
2012004968.tif 000005
【図４】
2012004968.tif 000006
【図５】
2012004968.tif 000007
【図６】
2012004968.tif 000008
【図７】
2012004968.tif 000009
【図８】
2012004968.tif 000010
【図９】
2012004968.tif 000011